(57)【要約】【課題】  ペット誘惑体の動きが複雑になるようにして、猫等のペットをすぐに飽きることなく十分にじゃらすことができ、さらに太陽電池を用いる事で電源操作と電池交換等の手間を省いたペット用玩具を提供する。【解決手段】  支持台２内にモーター５とモーター５へ電力供給をする太陽電池パネル６が配置されると共に、モーター５の回転軸に線材３の基部が連結されて、線材３が支持台２の上部から上方に向けて突出されたペット用玩具であって、線材３の先端部には、交換部４によってペット誘惑体９が保持されている。またペット誘惑体９は、交換部４でペット誘惑体１０へ交換できる。線材２は、ニッケルチタン製の超弾性ワイヤーで構成されている。【選択図】図１
0003233453.tif 000002
【実用新案登録請求の範囲】
【請求項１】
支持台（２）内に駆動装置としてのモーター（５）とモーター（５）へ電力を供給する太陽電池パネル（６）が配置されるとともに、線材（３）は、モーター（５）の回転軸の上部と連結され、支持台（２）の上部から上方に向けて突出され、線材（３）の先端部に交換部（４）によってペット誘惑体（９）が保持される事を特徴とするペット用玩具。
【請求項２】
前記ペット誘惑体（９）に天然の羽根が利用され、またペット誘惑体（１０）にはポリエチレン不織布が利用されており、双方は交換部（４）により簡単に交換することができる事を特徴とする請求項１に記載のペット用玩具。
【請求項３】
前記線材（３）は、ニッケルチタン製の超弾性ワイヤーにより構成されていることを特徴とする請求項１〜２のいずれかに記載のペット用玩具。
【考案の詳細な説明】
【技術分野】
【０００１】
本考案は、猫等のペットを遊ばせるためのペット用玩具に関するものである。
【背景技術】
【０００２】
人の手を借りずに猫等のペットが勝手に遊ぶことができて、猫等のストレスや運動不足の解消になるようにしたペット用玩具には、支持台から上方向に突出した回転軸の上部に、回転腕を水平方向に突設し、回転腕の先端に紐を連結し、その紐の先端にペット誘惑体を装着し、電池から供給された電力で駆動するモーターで回転軸を回転させて、ペット誘惑体を回転腕と共に回転軸廻りに回転させるようにしたものがある（例えば特許文献１）。
【先行技術文献】
【特許文献】
【０００３】
【特許文献１】実用新案登録第３０００９８４号広報
【考案の概要】
【考案が解決しようとする課題】
【０００４】
しかし、従来の場合、ペット誘惑体および回転軸廻りの回転がほぼ一定速度に保持されており、ペット誘惑体の動きが非常に単調であり、猫等のペットがすぐに飽きてしまい猫等を十分にじゃらすことができないという問題があった。また、電池等で駆動装置へ電力を供給するため使用者が電源を操作する必要があり、電池が消耗してしまうと電池を交換する手間が問題であった。
本考案は上記問題点に鑑み、ペット誘惑体の動きが複雑になるようにして、猫等のペットをすぐに飽きることなく十分にじゃらすことができ、さらに太陽電池を用いる事で電源操作と電池交換の手間を省いたペット用玩具を提供することを目的としている。
【課題を解決するための手段】
【０００５】
本考案における課題解決のための具体的手段は、次の通りである。
この技術的課題を解決する本考案の技術的手段は、支持台２内にモーター５と太陽電池パネル６が配置されると共に、モーター５の回転軸に線材３の基部が連結されて、線材３が支持台２の上部から上方に向けて突出されたペット用玩具であって、線材３の先端部には、交換部４によってペット誘惑体９が保持されている。またペット誘惑体９は、交換部４でペット誘惑体１０へ交換できる点である。
【０００６】
また、本考案の他の技術的手段は、線材２がニッケルチタン製の超弾性ワイヤーで構成されている点にある。
【考案の効果】
【０００７】
本考案によれば、太陽電池パネルによって駆動装置のモーターに電力を供給できるため、使用者は電池交換や電源操作をする手間が省け、また太陽光線の強弱によって供給される電力が増減するため、モーターの回転数が変化しペット誘惑体の動きが変化に富んだものとなる。また線材には、ニッケルチタン製の超弾性ワイヤーが採用されているため、ペット誘惑体が複雑な動きとなり、猫等のペットをすぐに飽きることなく十分にじゃらすことができる。
【図面の簡単な説明】
【０００８】
【図１】一部を破断して示す側面図
【図２】平面図
【考案を実施するための形態】
【０００９】
本考案のペット用玩具本体を家屋内等でペットが生活している部屋の明るい窓際などの床面に置き、支持台に直射日光が当たるようにする。日中、日光が太陽電池パネルに当たると発電され、支持台内にあるモーターへと電力が供給され、モーターの回転軸が回転する。モーターの回転軸に連結された線材も同時に回転し線材に連結されたペット誘惑体が回転しながら揺動および振動し変化に富んだ動きで手間をかけずにぺットを効果的にじゃらす事ができる。またペット誘惑体は交換部で他のペット誘惑体へ簡単に交換できる。
【実施例】
【００１０】
以下、添付図面に従って本考案の一実施を説明する。
図１〜図２は本考案の実施形態を示している。図１〜図２において、ペット用玩具１は、支持台２と、支持台２の上部から突出された線材３と、線材３の先端部に装着されたペット誘惑体９とを備える。
支持台２は、木や金属等で成形され、内部に駆動装置のモーター５と太陽電池パネル６と電線７を収める事ができる空洞を有し大きい薄い円盤の上に小さい厚い円盤が重なるような形に形成されている。支持台２の上部には、駆動装置のモーター５の回転軸に通じる空洞が設けられ、支持台２の底部には緩衝材８が配置されている。
【００１１】
支持台２の材質に木を用いる場合は、厚み４ｍｍ程度のシナ合板等をレーザー加工機等により円盤状かつ内部に空洞ができるように切断加工し、木工用ボンド等で接着することで積層し成形できる。
【００１２】
支持台２の大きい円盤の内部には、太陽電池パネル６が太陽電池パネル６の表面を上方に露出するように配置され、小さい円盤の内部には、上部にモーター５の回転軸が位置するようにモーター５が配置されている。太陽電池パネル６から発電した電力がモーター５に供給されるように電線７がモーター５と太陽電池パネル６に接続されている。また、線材３はニッケルチタン製の超弾性ワイヤーで構成されており、透明な熱収縮チューブ等で覆われている。線材３の材質は、他の弾性素材を用いてもよい。線材３は、モーター５の回転軸の上端部とアルミ製のワイヤーロック等で連結され、モーター５の回転軸の動きと連動する。線材３は、支持台２の上部の空洞から上方に向けて突出するように配置されている。
【００１３】
線材３の上端部には、連結部４がアルミ製のワイヤーロック等で連結される。連結部４には、携帯電話のストラップ等を取り外しができるようにするために用いられる既存の部品等を用いる事ができる。連結部４は、互いに嵌合しあう２つの部品から構成され、片方には、線材３が連結され、もう片方にはペット誘惑体９が連結される。またペット誘惑体１０にも連結部４に嵌合できるペット用枠体９に連結される部品と同じ部品が連結され、双方が交換可能となる。
【００１４】
猫等のペットをじゃらす場合は、支持台２に対して太陽光線の当たる明るい窓際等の床面に本考案のペット用玩具１を置き、太陽光線が支持台２に当たるようにする。このとき、支持台２に配置されている太陽電池パネル６が発電し、電力をモーター５に供給することで、モーター５の回転軸が回転する。またモーター５の回転軸に連結された線材３も連動して回転し、線材３に連結されたペット誘惑体９も連動して回転しじゃらすことができる。
【００１５】
太陽光線の量は雲などの動きによる天候の変化等により常に変化しており、その変化により太陽電池パネル６によって発電される電力の量も変化する。発電される電力量が変化するとモーター５に供給される電力量も変化し、モーター５の回転数も変化する。よって線材３とペット誘惑体９の動きも変化に富んだものとなり、猫等のペットに興味をそそらせることができる。また、線材３にニッケルチタン製の超弾性ワイヤーを用いる事により、猫等のペットが直接ペット誘惑体に接触しても超弾性効果でペット誘惑体が塑性変形せずに反発する動きを見せるため、より一層ペット誘惑体９の動きが変化に富んだものとなり、猫等のペットをすぐに飽きさせずに十分じゃらすことができる。
【００１６】
次第に猫等のペットもペット誘惑体９に使用されている天然の羽根の刺激に慣れてくるため、ポリエチレン不織布で構成されるペット誘惑体１０に交換することができる。ポリエチレン不織布１０は、カサカサと音がする素材のため、聴覚的にも効果的に猫等のペットの興味をそそることができ、十分にじゃらすことができる。
【産業上の利用可能性】
【００１７】
以上のように本考案にかかるペット用玩具は、猫等のペットの日常生活における刺激不足によるストレスと運動不足の解消に貢献し、また消費電力が発生せず、電池を購入する必要も無く、使用者の手間を省く事にも貢献するため有用である。
【符号の説明】
【００１８】
１  ペット用玩具
２  支持台  
３  線材  
４  交換部  
５  モーター（駆動装置）  
６  太陽電池パネル  
７  電線  
８  緩衝材  
９  ペット誘惑体  
１０  ペット誘惑体
【図１】
0003233453.tif 000003
【図２】
0003233453.tif 000004